(57)【要約】【課題】浴槽の壁部に対する固定具の取り付け姿勢には関係なく、仕切具を体裁の良い適切な状態に取り付けることが可能な浴槽循環アダプタを提供する。【解決手段】浴槽７の壁部７０に取り付けられて熱源装置と配管接続され、かつ内部に複数の湯水流路が形成されている固定具１と、所定の中心軸周りに配された複数のネジ体挿通用孔２４を有し、かつこれらに挿通する複数のネジ体７９を利用して固定具１に連結されることにより浴槽７内に配され、かつ固定具１の複数の流路に個々に連通する湯水用の吸入口２７ａ，２７ｂおよび吐出口２８ａ，２８ｂを有している仕切具２と、を備えている、浴槽循環アダプタＡであって、仕切具２の各ネジ体挿通用孔２４は、この仕切具２の前記中心軸周りの取り付け姿勢を変更可能とする円弧状の長孔に形成されている。【選択図】  図２
2007120791.tif 000002
【特許請求の範囲】
【請求項１】
浴槽の壁部に取り付けられて熱源装置と配管接続され、かつ内部に複数の湯水流路が形成されている固定具と、
所定の中心軸周りに配された複数のネジ体挿通用孔を有し、かつこれらに挿通する複数のネジ体を利用して前記固定具に連結されることにより前記浴槽内に配され、かつ前記固定具の複数の湯水流路に個々に連通する湯水用の吸入口および吐出口を有している仕切具と、
を備えている、浴槽循環アダプタであって、
前記仕切具の各ネジ体挿通用孔は、前記仕切具の前記中心軸周りの取り付け姿勢を変更可能とする円弧状の長孔に形成されていることを特徴とする、浴槽循環アダプタ。
【請求項２】
前記仕切具における前記複数のネジ体挿通用孔の開口周縁部の表面は、前記複数のネジ体の一部が圧接する面とされており、
前記複数の開口周縁部の表面のうち、少なくとも１つは、前記中心軸周りの一方向に進むほどその開口周縁部の厚みが大きくなるように傾斜した第１の傾斜面とされ、かつ他の少なくとも１つは、前記中心軸周りの前記一方向とは反対方向に進むほどその開口周縁部の厚みが大きくなるように傾斜した第２の傾斜面とされている、請求項１に記載の浴槽循環アダプタ。
【請求項３】
前記仕切具における前記複数のネジ体挿通用孔の少なくとも１つの開口周縁部に設けられ、かつ前記ネジ体が締め付けられてこのネジ体の一部が圧接したときにその圧接箇所が部分的に窪むことによって前記仕切具の回転止めを図る圧縮変形部を備えている、請求項１に記載の浴槽循環アダプタ。
【発明の詳細な説明】
【技術分野】
【０００１】
本発明は、浴槽の壁部に取り付けられて使用され、風呂の追い焚き時において、浴槽内の湯水を熱源装置に送り出すとともにこの熱源装置によって加熱された湯水を浴槽内に戻すように湯を循環させるノズルとしての役割を果たす浴槽循環アダプタ、さらに詳しくは、構成部品である仕切具の取り付け施工を好適に行なうことが可能とされた浴槽循環アダプタに関する。
【背景技術】
【０００２】
浴槽循環アダプタは、一般的には、屋外などに設置された熱源装置に配管接続されて浴槽の側壁に取り付けられる固定具と、この固定具に取り付けられて浴槽内に配される仕切具とを備えた構成とされている。仕切具は、湯水の吐出口や吸入口を備えている。このような浴槽循環アダプタの具体例としては、たとえば特許文献１に記載されたものがあり、これを図１７に示す。同図に示す浴槽循環アダプタは、固定具８として、図外の熱源装置と配管接続される外部配管連結体８０、およびこれに連結される内部締結体８１を有している。これらは互いに対応するネジ部８２ａ，８２ｂどうしを螺合させることによって、浴槽７の側壁７０の貫通孔７１の形成箇所をその両側から挟み付けるようにして側壁７０に固定される。仕切具９は、フロント部材９０およびリア部材９１が組み合わされて構成されており、これらは内部締結体８１にボルト止めされる。より具体的には、内部締結体８１の前面部には、複数のネジ孔８３が設けられている。一方、仕切具９には、複数のボルト挿通用孔９４が設けられており、これらの部分を利用して仕切具９は内部締結体８１にボルト止めされる。この浴槽循環アダプタにおいては、たとえば風呂の追い焚き時には、浴槽７内の湯水が仕切具９の前面部のフィルタ９２を透過して仕切具９および固定具８内の流路を通過し、熱源装置に戻される。また、熱源装置から供給される湯水は、固定具８および仕切具９内の別の流路を通過し、仕切具９の吐出口９３から浴槽７内に吐出される。
【０００３】
しかしながら、前記従来技術においては、次に述べるように改善すべき点があった。
【０００４】
すなわち、前記従来技術においては、固定具８の内部締結体８１に対する仕切具９の取り付け姿勢は固定されている。内部締結体８１が浴槽７に取り付けられた場合に、複数のネジ孔８３が、たとえば図１８（ａ）に示すような所定の配置となったときには、仕切具９が同図（ｂ）に示すような適正な姿勢に取り付けられるようになっている。同図に示す仕切具９の姿勢においては、２つの吐出口９３がいずれも斜め下を向いて開口しており、浴槽７内の湯水を攪拌させて湯水の強制循環を行なうのに好適である。ところが、内部締結体８１を浴槽７に取り付ける場合、浴槽７の側壁７０を挟むようにしてこの内部締結体８１を外部配管連結体８０に螺合させるために、この内部締結体８１の取り付け姿勢（水平軸周りの角度姿勢）は、浴槽７の側壁７０の厚みの影響を受けることとなり、一定化することは難しい。このようなことから、内部締結体８１の複数のネジ孔８３は、たとえば図１９（ａ）に示すように、本来の配置とは角度αだけ相違した配置となる場合がある。前記従来技術においては、このような場合に、仕切具９の姿勢も同図（ｂ）に示すように本来の適正な姿勢から角度αだけ傾くこととなる。これでは、各吐出口９３が本来の正しい方向を向かず、湯水の強制循環性能が低下する不具合を生じる。また、仕切具９の表面にたとえば文字や記号などを表示している場合には、このような表示も斜めに傾くこととなり、その体裁も悪いものとなる。
【０００５】
【特許文献１】実用新案登録第２５５３７２１号公報
【発明の開示】
【発明が解決しようとする課題】
【０００６】
本発明は、このような事情のもとで考え出されたものであって、浴槽の壁部に対する固定具の取り付け姿勢に左右されず、仕切具を体裁の良い適切な状態に取り付けることが可能な浴槽循環アダプタを提供することをその課題としている。
【課題を解決するための手段】
【０００７】
上記の課題を解決するため、本発明では、次の技術的手段を講じている。
【０００８】
本発明により提供される浴槽循環アダプタは、浴槽の壁部に取り付けられて熱源装置と配管接続され、かつ内部に複数の湯水流路が形成されている固定具と、所定の中心軸周りに配された複数のネジ体挿通用孔を有し、かつこれらに挿通する複数のネジ体を利用して前記固定具に連結されることにより前記浴槽内に配され、かつ前記固定具の複数の湯水流路に個々に連通する湯水用の吸入口および吐出口を有している仕切具と、を備えている、浴槽循環アダプタであって、前記仕切具の各ネジ体挿通用孔は、前記仕切具の前記中心軸周りの取り付け姿勢を変更可能とする円弧状の長孔に形成されていることを特徴としている。
【０００９】
このような構成によれば、複数のネジ体を利用して仕切具を固定具に連結する場合に、これら複数のネジ体が挿通する挿通孔は円弧状の長孔とされているために、この仕切具の所定の中心軸周りの姿勢を変更して調整することができる。したがって、仮に、固定具を浴槽の壁部に対して所望の姿勢に取り付けることができない場合であっても、仕切具については、所望の適正な姿勢、またはそれに近い姿勢に取り付けることが可能となる。その結果、仕切具の取り付けの体裁が悪くなる不具合や、仕切具の湯水の吐出口が本来の適正な方向とは大きくずれた方向を向くといった不具合が適切に解消される。
【００１０】
本発明の好ましい実施の形態においては、前記仕切具における前記複数のネジ体挿通用孔の開口周縁部の表面は、前記複数のネジ体の一部が圧接する面とされており、前記複数の開口周縁部の表面のうち、少なくとも１つは、前記中心軸周りの一方向に進むほどその開口周縁部の厚みが大きくなるように傾斜した第１の傾斜面とされ、かつ他の少なくとも１つは、前記中心軸周りの前記一方向とは反対方向に進むほどその開口周縁部の厚みが大きくなるように傾斜した第２の傾斜面とされている。
【００１１】
このような構成によれば、仕切具のネジ体挿通用孔が長孔とされていることに起因してこの仕切具が容易に回転することを適切に防止する効果が得られる。すなわち、複数のネジ体を締め付けることによってこれらネジ体の一部が第１および第２の傾斜面に圧接した状態において、仕切具がたとえば前記中心軸周りのいずれの方向に回転しようとしても、前記第１および第２の傾斜面のいずれかがネジ体に当接する作用を生じ、この作用により仕切具の回転が阻止される。したがって、たとえばネジ体の締め付け力を強大にしなくても、仕切具が不用意に回転してその姿勢が傾かないようにすることができる。また、第１および第２の傾斜面は、仕切具を樹脂成形する際に、仕切具の他の部分と同時に容易に形成可能であり、製造コストの上昇を抑制するのにも好適である。
【００１２】
本発明の好ましい実施の形態においては、前記仕切具における前記複数のネジ体挿通用孔の少なくとも１つの開口周縁部に設けられ、かつ前記ネジ体が締め付けられてこのネジ体の一部が圧接したときにその圧接箇所が部分的に窪むことによって前記仕切具の回転止めを図る圧縮変形部を備えている。
【００１３】
このような構成によっても、先に述べた構成と同様に、仕切具のネジ体挿通用孔が長孔とされていることに起因してこの仕切具が容易に回転しないようにすることができる。
【００１４】
本発明のその他の特徴および利点は、添付図面を参照して以下に行なう発明の実施の形態の説明から、より明らかになるであろう。
【発明を実施するための最良の形態】
【００１５】
以下、本発明の好ましい実施の形態を、図面を参照して具体的に説明する。
【００１６】
図１〜図１２は、本発明が適用された浴槽循環アダプタおよびその構成部品の一例を示している。本実施形態の浴槽循環アダプタＡは、図１３に示すように、浴槽７の側壁７０に取り付けられ、かつ屋外などに設置された熱源装置９９に対してたとえば２本の配管９８を介して接続され、浴槽７内への湯水の落とし込みや、浴槽７内の湯水の追い焚きに利用される。
【００１７】
図１および図２によく表われているように、この浴槽循環アダプタＡは、外部配管連結体１ａならびに内部締結体１ｂを有する固定具１、フロント部材２ａならびにリア部材２ｂを有する仕切具２、およびこの仕切具２に取り付けられるカバーフィルタ３を備えている。外部配管連結体１ａ、内部締結体１ｂ、フロント部材２ａ、およびリア部材２ｂは、たとえばＰＰＳ（ポリフェニレンサルファイド）などの耐熱性や機械的強度に優れる樹脂製、あるいは強化プラスチック製である。このように浴槽循環アダプタＡの構成部材の樹脂化を促進すれば、浴槽循環アダプタＡの軽量薄型化や製造コストの低減化を図ることができる。カバーフィルタ３については、入浴者の身体が接触する虞れがあり、高い機械的強度が要求されるために、たとえばステンレス製とされている。ただし、各部材の具体的な材質は限定されるものではない。
【００１８】
固定具１の外部配管連結体１ａは、浴槽７の側壁７０の外面側に配されるものであり、一端にフランジ１２０を有する略円筒状のハウジング１２を有している。このハウジング１２の他端には、熱源装置９９と配管接続される一対の短管部１３ａ，１３ｂが取り付けられている。これらの短管部１３ａ，１３ｂは、ハウジング１２と一体的に成形された構成とすることもできる。
【００１９】
内部締結体１ｂは、浴槽７の内側から外部配管連結体１ａに組み付けられるものであり、一端にフランジ１４０を有する筒状部１４を備えている。この筒状部１４の外周面には、ハウジング１２の内周面に形成されている第１のネジ部１５ａに螺合する第２のネジ部１５ｂが形成されている。これら第１および第２のネジ部１５ａ，１５ｂの締め付けにより、一対のフランジ１２０，１４０は浴槽７の側壁７０の貫通孔７１の周縁部を挟み付けており、この挟み付け作用により外部配管連結体１ａおよび内部締結体１ｂは側壁７０に固定されている。フランジ１２０，１４０間には、止水シール用のパッキン９７ａ，９７ｂが介装される。内部締結体１ｂの内部には、第３のネジ部１５ｃが形成されているが、これは漏水検査器を固定具１に螺合装着するのに利用される。
【００２０】
仕切具２は、フロント部材２ａとリア部材２ｂとが重ね合わされて構成されたものであり、浴槽７の内側から固定具１に組み付けられている。その組み付け手段については後述する。図４および図５に示すように、リア部材２ｂは、基本形状が略円形であり、かつ下部近傍に一対の切欠部２１ａが形成された背板部２１と、この背板部２１に一端が繋がった管状部２０とを備えている。背板部２１には、この背板部２１の外周に形成された上部周壁部２２ａならびに下部周壁部２２ｂ、仕切具２内に後述する所定の流路を形成するためのリブ状の仕切壁２３ｂ、および複数（たとえば３つ）のネジ体挿通用孔２４ｂが設けられている。複数のネジ体挿通用孔２４ｂは、後述するフロント部材２ａのネジ体挿通用孔２４ａとともに仕切具２を固定具１に取り付けるのに利用される部分であり、同心の円弧状長孔である。背板部２１の中央部付近には、管状部２０の内部に連通した略半円状の開口部２５ａ、および前記内部に対して非連通状態の略円弧状の開口部２５ｂが形成されている。管状部２０の一部は、屈曲部２０ａとして形成されているが、これは開口部２５ａ，２５ｂを互いに接近させて背板部２１の中央部付近に配置させるのに役立つ。
【００２１】
図６〜図８に示すように、フロント部材２ａは、基本形状が略円形であり、かつ斜め下方に突出した一対の延設部２６ａを有する前板部２６を備えている。この前板部２６には、リブ状の仕切壁２３ａ、複数のネジ体挿通用孔２４ａ、および一対の吸入口２７ａ，２７ｂが設けられている。吸入口２７ａ，２７ｂのそれぞれは、複数の扇形状の小孔が略円形状を呈するように並んでおり、それらの各中心部分に支持された一対の第１の弁体４１ａ，４１ｂによって開閉可能となっている。第１の弁体４１ａ，４１ｂは、可撓性を有する円板部に軸部が繋がった形態を有している。前板部２６の一対の延設部２６ａには、第２の弁体４２ａ，４２ｂも取り付けられている。この第２の弁体４２ａ，４２ｂは、第１の弁体４１ａ，４１ｂと同様な材質の断面略Ｌ字状であり、後述する湯水の吐出口２８ａ，２８ｂを開閉する役割を果たす。
【００２２】
複数のネジ体挿通用孔２４ａは、リア部材２ｂの複数のネジ体挿通用孔２４ｂと同様に、同心の円弧状長孔である。図６（ａ）によく表われているように、フロント部材２ａの前面部の上部は、２つのネジ体挿通用孔２４ａが個々に形成された左右２つの領域ａ１，ａ２に区分されている。同図（ｃ）に示すように、領域ａ１の表面は、フロント部材２ａの幅方向中心から遠くなるほどこの領域ａ１の厚みが薄くなるように適当な角度θで傾斜した第１の傾斜面２９ａとなっている。これに対し、領域ａ２の表面は、前記とは反対方向に角度θで傾斜した第２の傾斜面２９ｂとなっている。角度θは、たとえば２〜５°程度であり、後述する仕切具２の回転止め効果を得るにはこの程度で十分であるが、これよりも大きな角度にしてもよい。
【００２３】
図９に示すように、仕切具２は、リア部材２ｂの前面部にフロント部材２ａが重ね合わされて構成される。複数のネジ体挿通用孔２４ａ，２４ｂどうしも互いに重ね合わされるが、これらネジ体挿通用孔２４ａ，２４ｂは、いずれもこの仕切具２の中心軸Ｃ１を中心とする円弧状であり、これらにはこの仕切具２を固定具１に取り付けるための複数のネジ体７９が挿通される。図２に表われているように、固定具１の内部締結体１ｂの前面部には、たとえば計８つのネジ孔１９が等角度間隔で設けられており、これら８つのネジ孔１９のうち、３つの適当なネジ孔１９にネジ体７９を螺合させることによって固定具１に対する仕切具２の取り付けが図られる。
【００２４】
図３は、固定具１に対する仕切具２の取り付け構造を示している。同図に示すように、仕切具２が固定具１に取り付けられた状態において、この仕切具２にはカバーフィルタ３が装着される。カバーフィルタ３は、円形キャップ状であり、その前面部には湯水通過用の複数の小孔３０が形成されている。なお、図２において、カバーフィルタ３の正面部に表わされた横長な略長円状部分は、小孔３０が設けられていない閉塞面であり、浴槽７内から吸入口２７ａ，２７ｂに対して湯水が直接的に流入することを阻止する。このカバーフィルタ３は、仕切具２の前面や外周を覆うように取り付けられるが、その取り付け手段としては、このカバーフィルタ３の周壁部に適当な係止用凸部（図示略）を設けておき、この係止用凸部をたとえばリア部材２ｂの周壁部２２ａ，２２ｂに形成されている係止用段部２２１に係合させるといった手段を用いることができる（図４を参照）。カバーフィルタ３の周壁部には、仕切具２の後述する吐出口２８ａ，２８ｂに対向する開口部３１が形成されている（図１，図２を参照）。
【００２５】
図１０に示すように、仕切具２の上部および下部には、前面開放領域ａ３，ａ４（同図の網点模様が付された部分）が形成されている。より具体的には、この仕切具２においては、フロント部材２ａがリア部材２ｂの背板部２１の前面部全体を覆っておらず、リア部材２ｂの上部および下部の周壁部２２ａ，２２ｂによって囲まれた領域のうち、上部および下部は、フロント部材２ａによって塞がれていない前面開放領域ａ３，ａ４となっている。このように仕切具２に前面開放領域ａ３，ａ４を設ければ、その分だけ仕切具２内に形成される後述の流路４５ａ，４５ｂのサイズを小さくし、流路４５ａ，４５ｂ内に湯水の澱み領域が発生しないようにして、その内壁に湯垢などを付着し難くすることができる。仕切壁２３ｂは、前面開放領域ａ３の下部境界線を規定する部分として、上向きに突出した円弧状のライン部２３０と、このライン部２３０の両端から斜め下方に延びた一対のライン部２３１とを備えている。これら一対のライン部２３１と上部の周壁部２２ａとの間には、隙間４４ａが形成されている。浴槽７内に湯水が張られている場合、この仕切具２はその湯水内に浸漬しており、前面開放領域ａ３には湯水が流入する。本実施形態の構成によれば、浴槽７内の湯水を浴槽外部に排水させた際に、この前面開口領域ａ３内に存在していた湯は、前記したライン部２３０，２３１の上面に沿って下方に流れ、隙間４４ａから仕切具２の外部に適切に排出されることとなる。したがって、前面開放領域ａ３に湯水が残留し、この部分に湯垢などが多量に付着することが適切に防止される。
【００２６】
リア部材２ｂの下部の周壁部２２ｂは、前面開放領域ａ４の下部境界線を規定しているが、この周壁部２２ｂの両端と仕切壁２３ｂの下部両端との間には、隙間４４ｂが形成されている。したがって、前面開放領域ａ４に存在する湯水についても、この隙間４４ｂから仕切具２の外部に適切に排出させることができる。周壁部２２ｂは、下向きに突出した円弧状であるが、この周壁部２２ｂの上面２２０は、前下がりの傾斜状に形成されている（図３を参照）。この構成により、周壁部２２ｂの上面２２０上に湯水が滞留することも適切に回避される。
【００２７】
フロント部材２ａおよびリア部材２ｂの仕切壁２３ａ，２３ｂどうしは、互いに重なり合って当接しており、このことにより仕切具２の内部には、湯水用の流路４５ａ，４５ｂが形成されている。図１１の網点が付された部分が、これらの流路４５ａ，４５ｂである。なお、仕切壁２３ａ，２３ｂを互いに当接させる場合、それらの先端面どうしを突き合わせて当接させただけの構成でもよいが、この当接部分を溶着などの手段により固定させてもよい。また、これに代えて、たとえば仕切壁２３ａ，２３ｂの一方に凸状リブを形成し、かつ他方に凹溝を形成し、これらを互いに嵌合させるようにすることもできる。このようにすると、仕切壁２３ａ，２３ｂ間に隙間を生じ難くし、シール性を高めることができる。また、フロント部材２ａとリア部材２ｂとを重ね合わせる場合に、前記の凸状リブと凹溝との嵌合作用によってそれらの位置合わせが容易かつ適切になされる効果も得られる。なお、第１の弁体４１ａ，４１ｂが水圧などによってフロント部材２ａから仕切具２内に抜け外れることを防止するための手段として、第１の弁体４１ａ，４１ｂの円板部の中心に当接してこの部分を押さえる突起をリア部材２ｂに形成した構成とすることもできる。
【００２８】
流路４５ａ，４５ｂは、開口部２５ａ，２５ｂにそれぞれ繋がっており、かつその一部は、仕切具２の外周面において開口した吐出口２８ａ，２８ｂとなっている。リア部材２ｂの切欠部２１ａの端面は、第２の弁体４２ａ，４２ｂを当接させるための弁座４６ａ，４６ｂに相当しており、この第２の弁体４２ａ，４２ｂにより吐出口２８ａ，２８ｂが開閉可能である。一対の吸入口２７ａ，２７ｂは、開口部２５ａ，２５ｂの略正面に位置しており、第１の弁体４１ａ，４１ｂが開いたときには、これら吸入口２７ａ，２７ｂと流路４５ａ，４５ｂとは、互いに連通するようになっている。本実施形態の浴槽循環アダプタＡは、いわゆる無極性タイプであり、湯水の具体的な流れ方については後述する。
【００２９】
図１に示すように、仕切具２の管状部２０は、外部配管連結体１ａの内筒部１７に嵌合している。固定具１の内部には、短管部１３ａの内部およびこれに繋がった領域を含む流路１６ａ、および短管部１３ｂの内部およびこれに繋がった領域を含む流路１６ｂが形成されており、仕切具２の流路４５ａ，４５ｂは、流路１６ａ，１６ｂと個々に連通している。
【００３０】
この浴槽循環アダプタＡにおける湯水の流れは、たとえば図１２に示すようになっている。まず、同図（ａ）に示すように、短管部１３ａが戻り側とされ、かつ短管部１３ｂが往き側とされた状態では、流路１６ａ，４５ａ内が負圧となるため、第１の弁体４１ａが開き、浴槽７内の湯水は、吸入口２７ａから流路４５ａ，１６ａに流入して熱源装置９９に戻される。一方、熱源装置９９から流路１６ｂ，４５ｂに湯が供給されると、これらの部分の圧力が上昇するため、第２の弁体４２ｂが開き、吐出口２８ｂからから浴槽７内に湯水が吐出される。これとは異なり、同図（ｂ）に示すように、短管部１３ａが往き側とされ、かつ短管部１３ｂが戻り側とされた状態では、流路１６ａ，４５ａ内の圧力上昇により第２の弁体４２ａが開き、吐出口２８ａから浴槽７内に湯水が吐出される。一方、流路１６ｂ，４５ｂ内は負圧となるため、第１の弁体４１ｂが開いて吸入口２７ｂから流路４５ｂ，１６ｂに浴槽７内の湯水が流入する。このように、この浴槽循環アダプタＡにおいては、短管部１３ａ，１３ｂのそれぞれが往き側および戻り側のいずれに設定される場合であっても、浴槽７内の湯水を適切に循環させることができる。
【００３１】
また、この浴槽循環アダプタＡは、浴槽７内への湯の落とし込みにも利用することができる。たとえば、図１２（ｃ）に示すように、短管部１３ａ，１３ｂの双方に湯水が供給されると、第１の弁体４１ａ，４１ｂは、それらの圧力に起因して閉じ状態を維持するのに対し、第２の弁体４２ａ，４２ｂは、前記圧力によって開く。したがって、吐出口２８ａ，２８ｂのそれぞれから浴槽７内に湯水が吐出されることとなり、湯を落とし込む際の流量を多くすることもできる。
【００３２】
次に、この浴槽循環アダプタＡの作用について説明する。
【００３３】
図９を参照して説明したとおり、仕切具２に設けられている複数のネジ体挿通用孔２４ａ，２４ｂは、いずれも仕切具２の中心軸Ｃ１を中心とする円弧状長孔である。したがって、これらの部分にネジ体７９を挿通して仕切具２を固定具１に取り付ける場合、固定具１に相対させて仕切具２を中心軸Ｃ１周りに回転させてその姿勢を調整することができる。その結果、固定具１に設けられているネジ孔１９が本来の配置でない場合（たとえば、図１９（ａ）に示したような配置の場合）であっても、仕切具２を傾きの無い適正な姿勢に取り付けることができる。このことにより、吐出口２８ａ，２８ｂが斜め下方の適正な方向を向くように設定し、湯水の強制循環を好適に行なわせることが可能となる。また、仕切具２に装着されたカバーフィルタ３に文字などが表示されている場合に、この表示が不体裁に傾かないようにすることもできる。
【００３４】
一方、前記したように各ネジ体挿通用孔２４ａ，２４ｂを長孔にした場合には、ネジ体７９の締め付け力が不足気味であると、仕切具２が容易に回転する虞れを生じる。これに対し、この浴槽循環アダプタＡにおいては、図９（ｂ）に示すように、２つのネジ体７９の頭部７９ａの下面は、第１および第２の傾斜面２９ａ，２９ｂに圧接している。第１の傾斜面２９ａは、同図（ａ）において反時計周りに進むほどその高さが増しているために、仕切具２が時計周りに回転することを阻止する効果を発揮する。第２の傾斜面２９ｂは、第１の傾斜面２９ａとは反対に、仕切具２が反時計周りに回転することを阻止する効果を発揮する。したがって、仕切具２が時計周り、反時計周りのいずれにも容易に回転しないようにすることができる。第１および第２の傾斜面２９ａ，２９ｂは、フロント部材２ａの樹脂成形時に簡単に形成することが可能であり、別部品などを用いることなく、しかも仕切具２の大型化などを招くことなく、仕切具２の廻り止めが好適に図られる。なお、第１および第２の傾斜面２９ａ，２９ｂは、少なくとも１つずつあればよく、たとえば３つのネジ体挿通用孔２４ａ，２４ｂの全てに対応して設ける必要はない。また、第１および第２の傾斜面２９ａ，２９ｂは、ネジ体挿通用孔２４ａの開口部近傍のみの狭い範囲に形成された構成とすることもできる。
【００３５】
図１４〜図１６は、本発明の他の実施形態を示している。これらの図において、前記実施形態と同一または類似の要素には、前記実施形態と同一の符号を付している。
【００３６】
図１４および図１５に示す構成においては、仕切具２のフロント部材２ａの前面に、弾性部材からなるシート体６を回転止め状態に設けている。このシート体６には、仕切具２に設けられている２つのネジ体挿通用孔２４ａ，２４ｂと同様な形状および配置の２つの貫通孔６０が設けられている。
【００３７】
本実施形態によれば、ネジ体７９を締め付けた際には、図１４（ｂ）に示すように、シート体６のうち、ネジ体７９の頭部７９ａが圧接した箇所が部分的に窪む。このため、このシート体６の前記窪み部分の周縁部は、頭部７９ａに当接することとなり、この当接作用により仕切具２の回転が阻止される。
【００３８】
図１６に示す構成においては、ネジ体挿通用孔２４ａの開口周縁部の表面に、細幅な複数の突起６１が形成されている。これらの突起６１は、フロント部材２ａと一体成形されており、ネジ体７９を締め付けたときには、その頭部７９ａによって圧縮（圧壊）するようになっている。本実施形態においては、複数の突起６１のうち、頭部７９ａの周縁部において起立したままの突起６１は、頭部７９ａに当接することとなり、やはり仕切具２の回転阻止効果が得られる。本実施形態の突起６１、および先の実施形態のシート体６は、本発明でいう圧縮変形部の具体例に相当する。
【００３９】
本発明は、上述した実施形態の内容に限定されない。本発明に係る浴槽循環アダプタの各部の具体的な構成は、種々に設計変更自在である。
【００４０】
仕切具のネジ体挿通用孔は、円弧状の長孔であればよく、その具体的な長さ（円弧方向の長さ）などは限定されない。また、仕切具を固定具に取り付けるための手段としては、たとえば固定具に植え込みボルトを取り付けておき、この植え込みボルトを仕切具のネジ体挿通用孔に挿通させてからナットによって締め付ける手段を採用することもできる。さらに、仕切具がフロント部材とリア部材とを組み合わせて構成されている場合、ネジ体挿通用孔は、それらフロント部材とリア部材とのそれぞれに貫通して設けられていなくてもかまわない。たとえば、リア部材のみにネジ体挿通用孔が設けられて、このネジ体挿通用孔を利用してリア部材が固定具に取り付けられ、かつこのリア部材に対しては別の手段（係合手段やネジ止めなど）によってフロント部材を組み付けるようにすることもできる。このような場合においても、リア部材の姿勢を調整することによって仕切具全体を所望の適正な姿勢に設定することが可能である。
【００４１】
本発明でいう固定具および仕切具としては、種々の構成に製作することが可能であり、たとえば固定具としては、浴槽の壁部をその両側から挟み付ける手段とは異なる手段によって浴槽の壁部に取り付ける構成とすることもできる。浴槽の壁部は、側壁に限らず、たとえば底壁部でもよい。仕切具の内部に形成される湯水用の流路などについても種々の態様にすることができる。
【図面の簡単な説明】
【００４２】
【図１】本発明に係る浴槽循環アダプタの一例を示す断面図である。
【図２】図１に示す浴槽循環アダプタの分解斜視図である。
【図３】図１に示す浴槽循環アダプタの他の切断部分における要部断面図である。
【図４】図１に示す浴槽循環アダプタの仕切具を構成するリア部材の斜視図である。
【図５】（ａ）は、図４に示すリア部材の正面図であり、（ｂ）は、（ａ）のＶ−Ｖ線断面図である。
【図６】（ａ）は、図１に示す浴槽循環アダプタの仕切具を構成するフロント部材の正面図であり、（ｂ）は、その側面図であり、（ｃ）は、（ａ）のVI−VI線断面図である。
【図７】（ａ）は、図６に示すフロント部材の背面図であり、（ｂ）は、（ａ）のVII−VII断面図である。
【図８】図６に示すフロント部材の背面斜視図である。
【図９】（ａ）は、図１に示す浴槽循環アダプタの仕切具の正面図であり、（ｂ）は、（ａ）のIX−IX線断面図である。
【図１０】図１に示す浴槽循環アダプタの仕切具の前面開放部を示す説明図である。
【図１１】図１に示す浴槽循環アダプタの仕切具内の流路を示す説明図である。
【図１２】（ａ）〜（ｃ）は、図１に示す浴槽循環アダプタにおける湯水の流れを示す断面図である。
【図１３】図１に示す浴槽循環アダプタの取り付け使用状態を示す概略斜視図である。
【図１４】（ａ）は、本発明に係る浴槽循環アダプタの仕切具の他の例を示す要部断面図であり、（ｂ）は、（ａ）のXIV−XIV線断面図である。
【図１５】図１４に示す仕切具の分解正面図である。
【図１６】本発明に係る浴槽循環アダプタの仕切具の他の例を示す要部断面図である。
【図１７】従来技術の一例を示す分解斜視図である。
【図１８】（ａ），（ｂ）は、従来技術における固定具のネジ孔の配置と仕切具の姿勢との関係の一例を示す説明図である。
【図１９】（ａ），（ｂ）は、従来技術における固定具のネジ孔の配置と仕切具の姿勢との関係の他の例を示す説明図である。
【符号の説明】
【００４３】
Ａ                浴槽循環アダプタ
１                固定具
１ａ              外部配管連結体（固定具）
１ｂ              内部締結体（固定具）
２                仕切具
２ａ              フロント部材
２ｂ              リア部材
７                浴槽
１６ａ，１６ｂ    流路（固定具内の）
１９              ネジ孔
２４ａ，２４ｂ    ネジ体挿通用孔
２７ａ，２７ｂ    吸入口
２８ａ，２８ｂ    吐出口
２９ａ，２９ｂ    第１および第２の傾斜面
７０              側壁（浴槽の壁部）
７９              ネジ体
９９              熱源装置
【図１】
2007120791.tif 000003
【図２】
2007120791.tif 000004
【図３】
2007120791.tif 000005
【図４】
2007120791.tif 000006
【図５】
2007120791.tif 000007
【図６】
2007120791.tif 000008
【図７】
2007120791.tif 000009
【図８】
2007120791.tif 000010
【図９】
2007120791.tif 000011
【図１０】
2007120791.tif 000012
【図１１】
2007120791.tif 000013
【図１２】
2007120791.tif 000014
【図１３】
2007120791.tif 000015
【図１４】
2007120791.tif 000016
【図１５】
2007120791.tif 000017
【図１６】
2007120791.tif 000018
【図１７】
2007120791.tif 000019
【図１８】
2007120791.tif 000020
【図１９】
2007120791.tif 000021